【事件の表示】
　特願２０１３−５４８１７４「制御装置及びリモコン装置」拒絶査定不服審判事件〔平成２５年　６月１３日国際公開、ＷＯ２０１３／０８４７２８、請求項の数（１１）〕について、次のとおり審決する。
【結　論】
　原査定を取り消す。
　本願の発明は、特許すべきものとする。
【理　由】
第１　手続の経緯
　この出願は、平成２４年１１月２２日（優先権主張：平成２３年１２月７日）を国際出願日とする出願であって、平成２７年２月１３日付けで拒絶理由が通知され、平成２７年４月３日付けで手続補正がなされ、平成２７年９月１７日付けで最後の拒絶理由が通知され、平成２７年１１月１７日付けで手続補正がなされ、平成２８年５月２５日付けで、平成２７年１１月１７日付けでなされた手続補正についての補正却下の決定がなされ、同日付けで拒絶査定がなされ、平成２８年７月２９日に拒絶査定不服審判が請求され、同時に手続補正（以下、「本件補正」という。）がなされたものである。
第２　本件補正の適否
　本件補正は、特許請求の範囲についてするもので、次のとおりのものである。
（１）本件補正前の請求項３、６に「前記描画コマンドを生成するためのデータ」とあったところを「前記描画コマンドを構成するデータ」と補正する。
（２）本件補正前の請求項７に「前記要素画像を配置するための要素配置データ」とあった記載から「前記」を削除するとともに、同請求項７に「前記要素画像データ」とあった記載を「前記要素画像を示す要素画像データ」と補正する。
（３）本件補正前の請求項１０の末尾に、「請求項１から１０のいずれか１項に記載の制御装置」とあったところを、「請求項４から９のいずれか１項に記載の制御装置」と補正する。
　よって、本件補正は、特許法第１７条の２第５項第４号の明りようでない記載の釈明、及び、特許法第１７条の２第５項第３号の誤記の訂正を目的とするものである。
　また、特許法第１７条の２第３項、第４項に違反するところはない。
  したがって、本件補正は適法になされたものである。
第３　本願発明について
　本件補正は適法になされたものであるので、本願の請求項１ないし１１に係る発明は、本件補正により補正された特許請求の範囲の請求項１ないし１１に記載された事項により特定される、次のとおりのものである。
「【請求項１】
　表示データによって示される表示画像を画面に表示する表示装置と、
　前記表示データを生成するために実行される描画コマンド群の各々について、描画コマンドを構成するデータの少なくとも一部を含む描画コマンドデータを予め記憶している記憶装置と、
　予め定められた描画条件と前記描画コマンドデータを特定するための描画コマンド特定データとが関連付けられた画面管理テーブルを予め記憶しており、当該画面管理テーブルに基づいて、前記描画条件に対応する描画コマンド特定データを特定し、当該特定した描画コマンド特定データを出力する中央演算装置と、
　前記中央演算装置から出力された描画コマンド特定データによって特定される前記描画コマンドデータを前記記憶装置から取得し、前記取得した描画コマンドデータに基づいて、前記描画コマンド群の各々について前記描画コマンドを構成するデータを取得し、当該取得したデータで構成される描画コマンド群の各々を実行することによって、前記表示データを生成する描画演算装置とを備える
　制御装置。
　　【請求項２】
　前記描画コマンド特定データは、前記記憶装置において前記描画コマンドデータが記憶されているアドレスを示す
　請求項１に記載の制御装置。
　　【請求項３】
　前記描画コマンドデータは、前記描画コマンドを構成するデータのすべてを含む
　請求項１又は２に記載の制御装置。
　　【請求項４】
　前記描画コマンドデータは、前記表示画像に含まれる要素である要素画像を示す要素画像データを予めさらに記憶した前記記憶装置にて特定するための要素特定データと、前記表示装置に前記表示画像を表示するために前記描画演算装置が用いる仮想的な領域である仮想領域内において前記要素画像が配置される位置を特定するための要素配置データとを含み、
　前記描画演算装置は、
　前記描画コマンド特定データを中央演算装置から取得するインタフェース手段、
　前記インタフェース手段が取得した描画コマンド特定データによって特定される前記描画コマンドデータに基づいて、前記描画コマンド群の各々について前記描画コマンドを構成するデータを取得する解釈手段、及び、
　前記解釈手段が取得したデータで構成される描画コマンド群の各々を実行することによって、前記表示データを生成する描画手段を有し、
　前記解釈手段は、前記描画コマンドを構成するデータとして前記要素特定データと前記要素配置データとを取得し、
　前記描画手段は、前記仮想領域のうち、前記表示装置に表示される前記画面に対応する領域である表示領域内に、前記解釈手段が取得した要素配置データに基づいて配置される前記要素画像が含まれる場合に、前記解釈手段が抽出した要素特定データと要素配置データとに基づいて配置した要素画像を含む前記表示データを生成する
　請求項３に記載の制御装置。
　　【請求項５】
　前記要素配置データは、ウィンドウ領域を設定する前記仮想領域内の位置を示すウィンドウ領域データと、前記要素画像を配置する前記ウィンドウ領域内の位置を示す相対位置データとを含む
　請求項４に記載の制御装置。
　　【請求項６】
　前記描画コマンドデータは、前記描画コマンドを構成するデータの一部と前記描画コマンドを構成するデータの残部を前記中央演算装置から取得することを示す描画割込フラグとを含み、
　前記描画演算装置は、
　前記描画コマンド特定データを前記中央演算装置から取得するインタフェース手段、
　前記インタフェース手段が取得した描画コマンド特定データによって特定される前記描画コマンドデータに基づいて、前記描画コマンド群の各々について前記描画コマンドを構成するデータを取得する解釈手段、及び、
　前記解釈手段が取得したデータで構成される描画コマンド群の各々を実行することによって、前記表示データを生成する描画手段を有し、
　前記解釈手段は、前記描画コマンドを構成するデータの一部を取得するとともに、前記描画コマンドを構成するデータの残部を要求する描画割込信号を前記インタフェース手段に出力させ、
　前記インタフェース手段は、前記描画コマンドを構成するデータの残部を前記中央演算装置から取得し、
　前記描画手段は、前記解釈手段によって取得された描画コマンドを構成するデータの一部と前記インタフェース手段によって取得された描画コマンドを構成するデータの残部とに基づいて構成される描画コマンドを実行することによって、前記表示データを生成する
　請求項１又は２に記載の制御装置。
　　【請求項７】
　前記描画コマンドを構成するデータの一部は、前記表示データを生成するために前記描画演算装置が用いる仮想的な領域である仮想領域内において要素画像を配置するための要素配置データであり、
　前記描画コマンドを構成するデータの残部は、前記要素画像を示す要素画像データを予めさらに記憶した前記記憶装置にて特定するための要素特定データであり、
　前記描画手段は、前記仮想領域のうち、前記表示装置に表示される前記画面に対応する領域である表示領域内に、前記インタフェース手段によって取得された要素配置データに基づいて配置される前記要素画像が含まれる場合に、前記解釈手段が取得した要素特定データと前記インタフェース手段が取得した要素配置データとに基づいて配置した要素画像を含む前記表示データを生成する
　請求項６に記載の制御装置。
　　【請求項８】
　前記インタフェース手段は、ユーザによる操作の種別を示す操作信号を受け付けた場合に、前記描画コマンド特定データを前記中央演算装置から取得する
　請求項４から７のいずれか１項に記載の制御装置。
　　【請求項９】
　前記インタフェース手段は、前記操作の種別と前記表示装置に表示されている表示画像の種別との組み合わせに応じた前記描画コマンド特定データを前記中央演算装置から取得する
　請求項８に記載の制御装置。
　　【請求項１０】
　前記描画演算装置は、前記描画手段によって生成された描画データのデータ形式を前記表示装置に適合するように変換することによって前記表示画像を示す表示データを生成する変換手段をさらに備える
　請求項４から９のいずれか１項に記載の制御装置。
　　【請求項１１】
　請求項１から１０のいずれか１項に記載の制御装置と、
　ユーザが操作をした場合に当該操作の種別を示す操作信号を出力する操作手段とを備え、
　前記中央演算装置は、前記操作手段が操作された場合に、当該操作に応じた前記操作信号を受け付けるリモコン装置。」
第４　原査定の理由の概要
理由１．（サポート要件）この出願は、特許請求の範囲の記載が下記の点で、特許法第３６条第６項第１号に規定する要件を満たしていない。
理由２．（明確性）この出願は、特許請求の範囲の記載が下記の点で、特許法第３６条第６項第２号に規定する要件を満たしていない。
理由３．（新規性）この出願の下記の請求項に係る発明は、その出願前に日本国内において頒布された下記の刊行物に記載された発明であるから、特許法第２９条第１項第３号に該当し、特許を受けることができない。
理由４．（進歩性）この出願の下記の請求項に係る発明は、その出願前に日本国内において頒布された下記の刊行物に記載された発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
理由１について
(1) 請求項３−１１
　請求項３，６の「描画コマンドを生成するためのデータ」という記載について、発明の詳細な説明には、描画コマンドを「生成」することの、具体的な記載も示唆もされていないので、上記各請求項に係る発明は、発明の詳細な説明に記載されたものではない。
理由２について
(1) 請求項３−１１
　請求項３の「前記描画コマンドを生成するためのデータのすべて」及び請求項６の「描画コマンドを生成するためのデータの一部」「描画コマンドを生成するためのデータの残部」という記載について、
　具体的に、どのような（単位として定められる、一連あるいは一つの）描画コマンドを生成するために用いられる、どのような集合のデータを対象としたものについての、すべて、一部あるいは残部を意味しているのか、明確でない。
理由３，４について
・請求項１−３，６，１１
・引用文献等２
・備考
　仮に、引用例２に記載された発明と、本願の上記各請求項に係る発明との間に、画面管理テーブルが記憶される装置についての差異があるとしても、設計事項にすぎない。
理由４について
・請求項４−１１
・引用文献等２
・備考
　引用例２に記載された発明において、描画コマンドとして具体的にどのようなものを用いるか、及び、基本画面の切り換えを操作の種別に応じて行うことは、いずれも、設計事項にすぎず、また、表示のためのデータを、ウィンドウ領域内の相対位置で表現すること、及び、描画データを表示装置に適合するデータに変換することは、いずれも、例示するまでもない周知技術である。
＜引用文献等一覧＞
２．特開２０１０−１７１７７６号公報
第５　当審の判断
１　理由１、理由２について
　本件補正により、上記「第２」のとおり、本件補正前の請求項３、６に「前記描画コマンドを生成するためのデータ」とあった記載は「前記描画コマンドを構成するデータ」と補正された。
　よって、原査定の拒絶の理由とされた理由１及び理由２は、解消した。
２　理由３、４について
（１）引用例の記載事項等
　原査定の拒絶の理由３及び理由４に引用された、特開２０１０−１７１７７６号公報（以下、「引用例１」という。）には、図面とともに、次の事項が記載されている（下線は、当審で付与した。）。
ア　「【０００１】
  本発明は、電子機器を遠隔操作する操作端末およびその画面表示方法に関する。」
イ　「【００１３】
実施の形態１．
  図１は、本発明の実施の形態１に係る設備機器リモコン１００の機能ブロック図である。設備機器リモコン１００は、空気調和機などの設備機器を遠隔操作するための操作端末である。
【００１４】
  
設備機器リモコン１００は、ボタンスイッチ１１０、ＣＰＵ１２０、フラッシュＲＯＭ（Ｒｅａｄ  Ｏｎｌｙ  Ｍｅｍｏｒｙ）１３０、ＲＡＭ（Ｒａｎｄｏｍ  Ａｃｃｅｓｓ  Ｍｅｍｏｒｙ）１４０、グラフィックエンジン１５０、ＶＲＡＭ（Ｖｉｄｅｏ  ＲＡＭ）１６０、ＬＣＤＣ１７０（Ｌｉｑｕｉｄ  Ｃｒｙｓｔａｌ  Ｄｉｓｐｌａｙ  Ｃｏｎｔｒｏｌｌｅｒ）、ＬＣＤ（Ｌｉｑｕｉｄ  Ｃｒｙｓｔａｌ  Ｄｉｓｐｌａｙ）１８０を備える
【００１５】
  ボタンスイッチ１１０は、ユーザーが設備機器リモコン１００を操作するための押下ボタンで構成された操作手段である。
  ボタンスイッチ１１０が押下され、または元の状態に戻ると、その旨の電気信号がＣＰＵ１２０の所定ポートに入力される。
ＣＰＵ１２０は、そのポートの電圧変動などに基づき、ボタンスイッチ１１０の押下状態を得ることができる。
【００１６】
  
ＣＰＵ１２０とグラフィックエンジン１５０は、
処理を実行する演算処理装置であり、それぞれ
独立に動作する。」
ウ　「【００１９】
  ＣＰＵ１２０は、アプリケーション開発者が開発したアプリケーションプログラム１３１が規定する動作にしたがって、設備機器の遠隔操作のための動作を実行する。
  アプリケーションプログラム１３１は、例えば設備機器の制御プログラム、通信プログラムなどで構成されている。
アプリケーションプログラム１３１は、フラッシュＲＯＭ１３０に格納されており、ＣＰＵ１２０が稼動した際にＲＡＭ１４０に読み出され、ＣＰＵ１２０によって実行される。
【００２０】
  グラフィックエンジン１５０は、ＧＵＩ画面の描画処理を行う。詳細は後述する。」
エ　「【００２３】
  グラフィックエンジン１５０およびＣＰＵ１２０は、お互いにバス線上で動作の調停を行う。」
オ　「【００３０】
（３．２）描画命令の種類についての補足
  
基本画面を描画する描画命令を、基本画面描画命令１３２と呼ぶ。
カ　「【００３６】
  図２は、基本画面描画命令１３２の構成例を示す図である。なお、描画命令は０と１によって表されるバイナリデータであるが、図２では説明のため、バイナリデータに代えて文字列で記載した。
【００３７】
  
描画命令２０５には、線、円、点、四角、多角形、などの描画指示をグラフィックエンジン１５０に伝える個別描画命令２０１が複数格納されている。
  
個別描画命令２０１は、１つの描画要素と複数の描画引数を持つ。例えば図示した個別描画命令２０１は、描画要素２０２、開始位置２０３、終了位置２０４から構成される。
【００３８】
  
個別描画命令２０１は、ＬＣＤ１８０が表示する画面の個々の表示要素、例えば線や円などを描画するための命令である。
線を描画する命令の例として、「線描画, 開始位置（ｘ，ｙ）, 終了位置（ｘ＋ｄｘ，ｙ）」といった内容がバイナリデータで記述されている
【００３９】
  描画要素２０２の「線描画」は、ＶＲＡＭ１６０上の画面のビットマップイメージに線を描くことを意味する。
【００４０】
  基本画面描画命令１３２の終端には、デリミタ命令２０６が挿入される。
【００４１】
  
グラフィックエンジン１５０は、描画命令を１行ずつ読み込み実行する
  なお、差分描画命令１４１の構成も、基本画面描画命令１３２と同様である。
【００４２】
  図３は、グラフィックエンジン１５０の詳細構成図である。
  
グラフィックエンジン１５０は、線、点、円、四角、文字などの描画する要素ごとに異なる描画回路を備える。
線描画回路３０１、点描画回路３０２、円描画回路３０３、文字描画回路３０４を備える
  描画回路については、任意の公知アルゴリズムなどを元に、例えばロジック回路で構成することができる。それぞれの描画回路は、入力を受け、線、点、円、四角、文字などの基本的な描画要素であるグラフィックプリミティブを、ＶＲＡＭ１６０上にビットマップイメージとして書き込む。
【００４３】
  グラフィックエンジン１５０は、描画命令を読み込んで、各描画回路に命令を振り分ける。例えば、線描画に関する命令は線描画回路３０１に、円描画に関する命令は円描画回路３０３に、それぞれ描画命令を振り分ける。命令の振り分けは、図示しない各描画回路の回路選択ビットで行う。
【００４４】
  図４は、グラフィックエンジン１５０の線描画回路３０１の構成図である。なお、図３で示した
線描画回路３０１以外の描画回路も、基本的な構成は同じである
【００４５】
  
線描画回路３０１は、開始位置２０３および終了位置２０４の２つの座標データを入力値とする。これらは線描画回路３０１が備える所定のレジスタに格納される。
  線描画回路３０１は、入力された開始位置２０３から終了位置２０４まで順に座標位置をずらしながら、ＶＲＡＭ１６０に描画要素２０２のビットマップイメージを書き込む。図４の右図では、
線のビットマップイメージをＶＲＡＭ１６０上に書き込んだ
【００４６】
  ＶＲＡＭ１６０上では、ＬＣＤ１８０におけるＸ座標、Ｙ座標に対応するアドレス番地が決められている。線描画回路３０１は、該当するアドレスに対して、指定の色データを書き込むことによって、ＶＲＡＭ１６０上にビットマップイメージを構築する。
  
ＬＣＤＣ１０８は、ＶＲＡＭ１６０に記録されたビットマップイメージを、ＬＣＤ１８０に画面表示させる。
キ　「【０１００】
実施の形態４．
  本発明の実施の形態４では、
複数の種類の基本画面を設け、それぞれの基本画面に対応する複数の基本画面描画命令１３２をフラッシュＲＯＭ１３０に書き込んで、これを切り替えることにより基本画面の切り替えを行う動作を説明する。
  なお、
その他の構成や動作は実施の形態１〜３と同様である
【０１０１】
  以下、実施の形態３で説明した構成を例にとり、
設備機器リモコン１００の画面描画処理
【０１０２】
（１）フラッシュＲＯＭ書き込み装置１５０１は、フラッシュＲＯＭ１３０に、複数の基本画面それぞれに対応する複数の基本画面描画命令１３２を書き込む。このとき、フラッシュＲＯＭ１３０のアドレス上では、「基本画面１の複数の描画命令」、「基本画面２の複数の描画命令」、「基本画面３の複数の描画命令」、・・・といった配列になる。各基本画面描画命令１３２の間には、デリミタ命令を挿入しておく。
【０１０３】
（２）アプリケーションプログラム１３１には、フラッシュＲＯＭ１３０上における上記複数の基本画面描画命令それぞれの先頭アドレスを、全てテーブルとして記述しておく。
【０１０４】
（３）ＣＰＵ１２０は、基本画面を他の基本画面に切り替える時は、上記テーブルを参照して、切り替え後の基本画面描画命令１３２の先頭アドレスを取得し、グラフィックエンジン１５０のレジスタ
に書き込む。
【０１０５】
（４）グラフィックエンジン１５０は、新たに書き込まれたレジスタ値の指すアドレスから、順に基本画面描画命令を実行する。デリミタ命令を読み込むと処理を終了する。
【０１０６】
  以上のように、本実施の形態４によれば、
ＣＰＵ１２０はグラフィックエンジン１５０のレジスタを書き換えるのみで、表示画面を切り替えることができる。これにより、画面切替に必要となる時間を大幅に短縮することができる。」
ク　基本画面描画命令１３２の構成例を示す図２には、基本画面描画命令１３２が、描画命令２０５と、終端に挿入されたデリミタ命令とで構成されることが記載されている。
　引用例１の段落【０１００】には、「実施の形態４」について、「その他の構成や動作は実施の形態１〜３と同様である」と記載されているから、この点を踏まえると、引用例１には、実施の形態４として、次の発明（以下、「引用発明１」という。）が記載されているものと認められる。
「設備機器リモコン１００は、ボタンスイッチ１１０、ＣＰＵ１２０、フラッシュＲＯＭ（Ｒｅａｄ  Ｏｎｌｙ  Ｍｅｍｏｒｙ）１３０、ＲＡＭ（Ｒａｎｄｏｍ  Ａｃｃｅｓｓ  Ｍｅｍｏｒｙ）１４０、グラフィックエンジン１５０、ＶＲＡＭ（Ｖｉｄｅｏ  ＲＡＭ）１６０、ＬＣＤＣ１７０（Ｌｉｑｕｉｄ  Ｃｒｙｓｔａｌ  Ｄｉｓｐｌａｙ  Ｃｏｎｔｒｏｌｌｅｒ）、ＬＣＤ（Ｌｉｑｕｉｄ  Ｃｒｙｓｔａｌ  Ｄｉｓｐｌａｙ）１８０を備え（段落【００１４】より）、ＣＰＵ１２０は、そのポートの電圧変動などに基づき、ボタンスイッチ１１０の押下状態を得ることができ（段落【００１５】より）、ＣＰＵ１２０とグラフィックエンジン１５０は、処理を実行する演算処理装置であり、それぞれ独立に動作し、（段落【００１６】より）、
　アプリケーションプログラム１３１は、フラッシュＲＯＭ１３０に格納されており、ＣＰＵ１２０が稼動した際にＲＡＭ１４０に読み出され、ＣＰＵ１２０によって実行され（段落【００１９】より）、
　基本画面を描画する描画命令を、基本画面描画命令１３２と呼び（段落【００３０】より）、基本画面描画命令１３２は、描画命令２０５と、終端に挿入されたデリミタ命令とで構成され（図２より）、描画命令２０５には、線、円、点、四角、多角形、などの描画指示をグラフィックエンジン１５０に伝える個別描画命令２０１が複数格納されており、個別描画命令２０１は、１つの描画要素と複数の描画引数を持ち、個別描画命令２０１は、描画要素２０２、開始位置２０３、終了位置２０４から構成され（段落【００３７】より）、個別描画命令２０１は、ＬＣＤ１８０が表示する画面の個々の表示要素、例えば線や円などを描画するための命令であり、線を描画する命令の例としては、「線描画, 開始位置（ｘ，ｙ）, 終了位置（ｘ＋ｄｘ，ｙ）」といった内容がバイナリデータで記述されており（段落【００３８】より）、
　グラフィックエンジン１５０は、描画命令を１行ずつ読み込み実行し（段落【００４１】より）、グラフィックエンジン１５０は、線、点、円、四角、文字などの描画する要素ごとに異なる描画回路を備え、線描画回路３０１、点描画回路３０２、円描画回路３０３、文字描画回路３０４を備え（段落【００４２】より）、
  線描画回路３０１は、開始位置２０３および終了位置２０４の２つの座標データを入力値とし、これらは線描画回路３０１が備える所定のレジスタに格納され、線のビットマップイメージをＶＲＡＭ１６０上に書き込み（【００４５】より）、線描画回路３０１以外の描画回路も、基本的な構成は同じであり（段落【００４４】）、
　ＬＣＤＣ１０８は、ＶＲＡＭ１６０に記録されたビットマップイメージを、ＬＣＤ１８０に画面表示させ（段落【００４６】より）、
　複数の種類の基本画面を設け、それぞれの基本画面に対応する複数の基本画面描画命令１３２をフラッシュＲＯＭ１３０に書き込んで、これを切り替えることにより基本画面の切り替えを行なう動作（段落【０１００】より）では、
　（１）フラッシュＲＯＭ書き込み装置１５０１は、フラッシュＲＯＭ１３０に、複数の基本画面それぞれに対応する複数の基本画面描画命令１３２を書き込み、このとき、フラッシュＲＯＭ１３０のアドレス上では、「基本画面１の複数の描画命令」、「基本画面２の複数の描画命令」、「基本画面３の複数の描画命令」、・・・といった配列になり、各基本画面描画命令１３２の間には、デリミタ命令を挿入しておき、（段落【０１０２】より）、
　（２）アプリケーションプログラム１３１には、フラッシュＲＯＭ１３０上における上記複数の基本画面描画命令それぞれの先頭アドレスを、全てテーブルとして記述しておき（段落【０１０３】より）、
　（３）ＣＰＵ１２０は、基本画面を他の基本画面に切り替える時は、上記テーブルを参照して、切り替え後の基本画面描画命令１３２の先頭アドレスを取得し、グラフィックエンジン１５０のレジスタに書き込み（段落【０１０４】より）、
　（４）グラフィックエンジン１５０は、新たに書き込まれたレジスタ値の指すアドレスから、順に基本画面描画命令を実行し、デリミタ命令を読み込むと処理を終了し（段落【０１０５】より）、
　ＣＰＵ１２０はグラフィックエンジン１５０のレジスタを書き換えるのみで、表示画面を切り替えることができ、これにより、画面切替に必要となる時間を大幅に短縮することができる（段落【０１０６】より）、
設備機器リモコン１００（段落【００１４】より）。」
（２）対比・判断
（請求項１に係る発明について）
　本願の請求項１に係る発明（以下、「本願発明１」という。）と引用発明１とを対比する。
ア　引用発明１における「ＶＲＡＭ１６０に記録されたビットマップイメージを、ＬＣＤ１８０に画面表示させ」る「ＬＣＤＣ１０８」が、本願発明１における「表示データによって示される表示画像を画面に表示する表示装置」に相当する。
イ　引用発明１において「描画命令２０５には、線、円、点、四角、多角形、などの描画指示をグラフィックエンジン１５０に伝える個別描画命令２０１が複数格納されており」、「個別描画命令２０１は、ＬＣＤ１８０が表示する画面の個々の表示要素、例えば線や円などを描画するための命令であ」るから、引用発明１における、「複数」の「個別描画命令２０１」からなる群が、本願発明１における「前記表示データを生成するために実行される描画コマンド群」に相当する。
ウ　引用発明１において「フラッシュＲＯＭ１３０」には「基本画面描画命令１３２」が書き込まれ、該「基本画面描画命令１３２」を構成する「描画命令２０５」には、「個別描画命令２０１が複数格納されて」おり、「個別描画命令２０１は、１つの描画要素と複数の描画引数を持」っているから、引用発明１における「フラッシュＲＯＭ１３０」は、「複数の描画引数」を持つ「個別描画命令２０１」が書き込まれていることは明らかである。
　よって、引用発明１における「フラッシュＲＯＭ１３０」が、本願発明１における「描画コマンド群の各々について、描画コマンドを構成するデータの少なくとも一部を含む描画コマンドデータを予め記憶している記憶装置」に相当するといえる。
エ　引用発明１において「アプリケーションプログラム１３１」には、「フラッシュＲＯＭ１３０上における上記複数の基本画面描画命令それぞれの先頭アドレスを、全てテーブルとして記述して」おり、該「アプリケーションプログラム１３１は、フラッシュＲＯＭ１３０に格納されており、ＣＰＵ１２０が稼動した際にＲＡＭ１４０に読み出され、ＣＰＵ１２０によって実行され」るものである。
　そして、引用発明１における「基本画面描画命令１３２の先頭アドレス」が、本願発明１における「前記描画コマンドデータを特定するための描画コマンド特定データ」に相当するから、引用発明１において「フラッシュＲＯＭ１３０」又は「ＲＡＭ１４０」に「複数の基本画面描画命令それぞれの先頭アドレスを、全てテーブルとして記述して」いることと、本願発明１において「予め定められた描画条件と前記描画コマンドデータを特定するための描画コマンド特定データとが関連付けられた画面管理テーブルを予め記憶して」いることとは、「前記描画コマンドデータを特定するための描画コマンド特定データのテーブル」を備える点で共通する。
オ　引用発明１における「ＣＰＵ１２０」は、「処理を実行する演算処理装置」であって、「基本画面を他の基本画面に切り替える時は、上記テーブルを参照して、切り替え後の基本画面描画命令１３２の先頭アドレスを取得し、グラフィックエンジン１５０のレジスタに書き込」んでいるから、本願発明１における「当該画面管理テーブルに基づいて、前記描画条件に対応する描画コマンド特定データを特定し、当該特定した描画コマンド特定データを出力する中央演算装置」とは、「テーブルに基づいて、描画コマンド特定データを特定し、当該特定した描画コマンド特定データを出力する中央演算装置」の点で共通する。
カ　引用発明１における「グラフィックエンジン１５０」が、「ＣＰＵ１２０」によって「新たに書き込まれたレジスタ値の指すアドレス」（つまり「切り替え後の基本画面描画命令１３２の先頭アドレス」）から、「描画命令を１行ずつ読み込」むことが、本願発明１における「前記中央演算装置から出力された描画コマンド特定データによって特定される前記描画コマンドデータを前記記憶装置から取得」することに相当する。
キ　引用発明１において「グラフィックエンジン１５０」は、「線描画回路３０１、点描画回路３０２、円描画回路３０３、文字描画回路３０４を備え」、「描画命令を１行ずつ読み込み実行」し、「個別描画命令２０１」のうち「線を描画する命令」には「「線描画, 開始位置（ｘ，ｙ）, 終了位置（ｘ＋ｄｘ，ｙ）」といった内容がバイナリデータで記述されており」、「線描画回路３０１は、開始位置２０３および終了位置２０４の２つの座標データを入力値とし、これらは線描画回路３０１が備える所定のレジスタに格納され」、「線描画回路３０１以外の描画回路も、基本的な構成は同じであ」るとされている。
　よって、引用発明１において「グラフィックエンジン１５０」が、「描画命令を１行ずつ読み込み実行」し、「開始位置２０３および終了位置２０４の２つの座標データ」等の「複数の描画引数」を、各「描画回路」「が備える所定のレジスタに格納」することが、本願発明１における「前記取得した描画コマンドデータに基づいて、前記描画コマンド群の各々について前記描画コマンドを構成するデータを取得」することに相当するといえる。
ク　引用発明１における「グラフィックエンジン１５０」は、「描画命令を１行ずつ読み込み実行」し、「グラフィックエンジン１５０」の各「描画回路」が、「開始位置２０３および終了位置２０４の２つの座標データ」等の「複数の描画引数」を、「所定のレジスタに格納」し、「ビットマップイメージをＶＲＡＭ１６０上に書き込」んでいるから、本願発明１における「当該取得したデータで構成される描画コマンド群の各々を実行することによって、前記表示データを生成する描画演算装置」に相当する。
ケ  引用発明１における「設備機器リモコン１００」が、次の相違点は別として、本願発明１における「制御装置」に相当する。
　よって、本願発明１と引用発明１との一致点、相違点は、次のとおりである。
（一致点）
「表示データによって示される表示画像を画面に表示する表示装置と、
　前記表示データを生成するために実行される描画コマンド群の各々について、描画コマンドを構成するデータの少なくとも一部を含む描画コマンドデータを予め記憶している記憶装置と、
　前記描画コマンドデータを特定するための描画コマンド特定データのテーブルと、
　テーブルに基づいて、描画コマンド特定データを特定し、当該特定した描画コマンド特定データを出力する中央演算装置と、
　前記中央演算装置から出力された描画コマンド特定データによって特定される前記描画コマンドデータを前記記憶装置から取得し、前記取得した描画コマンドデータに基づいて、前記描画コマンド群の各々について前記描画コマンドを構成するデータを取得し、当該取得したデータで構成される描画コマンド群の各々を実行することによって、前記表示データを生成する描画演算装置とを備える
　制御装置。」
（相違点）
　本願発明１では、「中央演算装置」が「予め定められた描画条件と前記描画コマンドデータを特定するための描画コマンド特定データとが関連付けられた画面管理テーブルを予め記憶して」おり、「中央演算装置」が「当該画面管理テーブルに基づいて、前記描画条件に対応する描画コマンド特定データを特定」しているのに対し、引用発明１では、「フラッシュＲＯＭ１３０」又は「ＲＡＭ１４０」に「複数の基本画面描画命令それぞれの先頭アドレスを、全てテーブルとして記述して」おり、「ＣＰＵ１２０」は、「処理を実行する演算処理装置」であって、「基本画面を他の基本画面に切り替える時は、上記テーブルを参照して、切り替え後の基本画面描画命令１３２の先頭アドレスを取得」しているものの、引用発明１における「ＣＰＵ１２０」は、「予め定められた描画条件」と基本画面描画命令それぞれの先頭アドレスとが関連付けられた画面管理テーブルを予め記憶しておらず、「当該画面管理テーブル」に基づいて、切り替え後の基本画面描画命令１３２の先頭アドレスを取得することは示されていない点。
　そこで、上記相違点について検討すると、上記相違点は実質的な相違点であるから、本願発明１は引用発明１ではない。
　次に、引用発明１は、「ＣＰＵ１２０は、そのポートの電圧変動などに基づき、ボタンスイッチ１１０の押下状態を得ることができ」るものの、引用例１には、「ボタンスイッチ１１０の押下」を契機として「基本画面を他の基本画面に切り替える」際、切り替え先の基本画面の特定をどのように行うのか、何ら記載されていない。
　また、上記相違点に係る本願発明１の構成、つまり、該「中央演算装置」が「予め定められた描画条件と前記描画コマンドデータを特定するための描画コマンド特定データとが関連付けられた画面管理テーブルを予め記憶して」おり、「中央演算装置」が「当該画面管理テーブルに基づいて、前記描画条件に対応する描画コマンド特定データを特定」する構成が、設計事項であるとする根拠も見い出せない。
　よって、本願発明１は、引用発明１に基づいて、当業者が容易に発明をすることができたものでもない。
（請求項２ないし１１に係る発明について）
　本願の請求項２、３、６、１１に係る発明は、本願発明１をさらに限定したものであるので、本願の請求項２、３、６、１１に係る発明は引用発明１であるとはいえず、また、本願の請求項２、３、６、１１に係る発明は、引用発明１に基づいて、当業者が容易に発明をすることができたものともいえない。
　同様に、本願の請求項４、５、７ないし１０に係る発明は、本願発明１をさらに限定したものであるので、引用発明１に基づいて、当業者が容易に発明をすることができたものとはいえない。
（３）まとめ
　以上のとおり、本願の請求項１〜３、６、１１に係る発明は、引用発明１ではない。
　また、本願の請求項１ないし１１に係る発明は、引用発明１に基づいて、当業者が容易に発明をすることができたものではない。
　よって、原査定の拒絶の理由とされた理由３、理由４によって、本願を拒絶することはできない。
第６　むすび
　以上のとおり、原査定の理由によっては、本願を拒絶することはできない。
　また、他に本願を拒絶すべき理由を発見しない。
　よって、結論のとおり審決する。